(57)【特許請求の範囲】
【請求項１】
所定のカードを読取走査させて、扉に設けられた電気錠を施解錠させるカードリーダに対し、このカードリーダの操作に連動する所定の設備を接続した構成の電気錠制御システムであって、
上記設備は、防犯センサと防犯受信機とを有した防犯監視システムであり、
上記カードリーダは、上記防犯受信機の監視を開始させるために操作するセット手段と、上記防犯受信機の監視を解除させるために操作するリセット手段と、上記防犯センサによる人体検知を判別する判別手段とを備え、
上記セット手段の操作により、上記防犯受信機が監視状態であるときに、上記リセット手段が操作され、上記所定のカードが読取走査されたときには、上記電気錠を解錠させるとともに、上記防犯受信機の監視を解除させる構成としており、
上記カードリーダは、扉の開閉を検知する手段と、ブザー手段とを更に備えており、
上記リセット手段の操作により、上記防犯受信機が監視を解除しており、上記防犯センサが人体を検知しておらず、上記扉の開状態を検知している状態で、上記セット手段が操作され、上記所定のカードが読取走査されたときには、上記電気錠の解錠及び上記防犯受信機の監視解除を維持させ、上記ブザー手段を鳴動させることを特徴とする設備連動機能付き電気錠制御システム。
【請求項２】
上記カードリーダは、上記リセット手段の操作により、上記防犯受信機が監視を解除している状態で、上記所定のカードの読取走査のみがされたときには、上記電気錠を施錠あるいは解錠させ、上記防犯受信機の監視解除を維持させることを特徴とする、請求項１に記載の設備連動機能付き電気錠制御システム。
【請求項３】
上記カードリーダは、上記リセット手段の操作により、上記防犯受信機が監視を解除しており、上記防犯センサが人体を検知している状態で、上記セット手段が操作され、上記所定のカードが読取走査されたときには、上記電気錠の解錠及び上記防犯受信機の監視解除を維持させることを特徴とする、請求項１に記載の設備連動機能付き電気錠制御システム。
【請求項４】
上記リセット手段の操作により、上記防犯受信機が監視を解除しており、上記扉の開状態を検知している状態で、上記所定のカードの読取走査のみがされたときには、上記電気錠の解錠及び上記防犯受信機の監視解除を維持させることを特徴とする、請求項１に記載の設備連動機能付き電気錠制御システム。
【請求項５】
所定のカードを読取走査させて、扉に設けられた電気錠を解錠させるカードリーダに対し、このカードリーダの操作に連動する所定の設備を接続した構成の電気錠制御システムであって、
上記設備は、防犯センサと防犯受信機とを有した防犯監視システムであり、
上記カードリーダは、上記防犯受信機の監視を開始させるために操作するセット手段と、上記防犯受信機の監視を解除させるために操作するリセット手段と、上記防犯センサによる人体検知を判別する判別手段と、上記扉の開閉を検知する手段と、ブザー手段とを備え、
上記セット手段の操作により、上記防犯受信機が監視状態であるときに、上記リセット手段が操作され、上記所定のカードが読取走査されたときには、上記電気錠を解錠させるとともに、上記防犯受信機の監視を解除させ、上記扉の閉状態を検知すれば、上記電気錠を施錠させる一方、
上記リセット手段の操作により、上記防犯受信機が監視を解除しており、上記防犯センサが人体を検知しておらず、上記扉の開状態を検知している状態で、上記セット手段が操作され、上記所定のカードが読取走査されたときには、上記電気錠の解錠及び上記防犯受信機の監視解除を維持させ、上記ブザー手段を鳴動させることを特徴とする設備連動機能付き電気錠制御システム。
【請求項６】
上記カードリーダは、上記リセット手段の操作により、上記防犯受信機が監視を解除している状態で、上記所定のカードの読取走査のみがされたときには、上記電気錠を解錠させ、上記防犯受信機の監視解除を維持させることを特徴とする、請求項５に記載の設備連動機能付き電気錠制御システム。
【請求項７】
上記カードリーダは、上記リセット手段の操作により、上記防犯受信機が監視を解除しており、上記防犯センサが人体を検知している状態で、上記セット手段が操作され、上記所定のカードが読取走査されたときには、上記電気錠の解錠及び上記防犯受信機の監視解除を維持させることを特徴とする、請求項５に記載の設備連動機能付き電気錠制御システム。
【請求項８】
上記セット手段の操作により、上記防犯受信機が監視状態であるときに、上記リセット手段が操作され、上記所定のカードが読取走査された後、上記扉の開状態が所定時間継続したときには、上記ブザー手段を鳴動させることを特徴とする、請求項５に記載の設備連動機能付き電気錠制御システム。
【請求項９】
上記リセット手段の操作により、上記防犯受信機が監視を解除している状態で、上記所定のカードの読取走査のみがされた後、上記扉の開状態が所定時間継続したときには、上記ブザー手段を鳴動させることを特徴とする、請求項５に記載の設備連動機能付き電気錠制御システム。
【請求項１０】
上記カードリーダは、上記設備として、上記防犯監視システムとともに、あるいは、上記防犯監視システムに代えて、照明システムや空調システムなどの人が居るときに作動する、人体検知センサを有したシステムを接続しており、
上記セット手段は上記システムの動作を停止させるために操作し、上記リセット手段は上記システムの動作を開始させるために操作し、上記判別手段は上記人体検知センサによる人体検知を判別するようになっており、
上記防犯受信機の監視とともに、あるいは、上記防犯受信機の監視に代えて、上記システムは動作を停止し、上記防犯受信機の監視解除とともに、あるいは、上記防犯受信機の監視解除に代えて、上記システムは動作し、上記防犯センサとともに、あるいは、上記防犯センサに代えて、上記人体検知センサが人体を検知することを特徴とする、請求項１〜請求項９のいずれかに記載の設備連動機能付き電気錠制御システム。
【発明の詳細な説明】
【発明の属する技術分野】
【０００１】
本発明は、電気錠の施解錠を制御するため、カードリーダの操作に対して、防犯、照明、空調などの設備を連動させる機能を備えた電気錠制御システムに関する。
【従来の技術】
【０００２】
従来から、ビルなどの建物の通用口や、その建物内の各事務所などの出入口には、扉の電気錠を施解錠するために操作するカードリーダを設置しており、所定のＩＤカードを読取走査させた者のみが、扉を開閉し入退室できるようにしている。
【０００３】
図２６は、従来の電気錠制御システムの構成を示している。
【０００４】
カードリーダ１０１は、扉Ｄの近くに設置され、その扉Ｄに設けられた電気錠１０２に接続されており、予め、ＩＤ情報などが登録されている所定のカードＣを読み取れば、電気錠１０２を施解錠させる。また、各所に設置されたカードリーダ１０１は、管理室や警備センタなどに設けられたセンタ装置１０４に接続されており、センタ装置１０４では、建物内に設置されたすべてのカードリーダ１０１の各々から、電気錠１０２の施解錠状態信号を受信して、各扉Ｄの施解錠状態を管理するとともに、カードＣの操作履歴などを監視している。
【０００５】
なお、図中、１０３は電源装置であり、この電源装置１０３からカードリーダ１０１及び電気錠１０２に電源が供給されている。
【０００６】
図２７には、上記した電気錠制御システムの構成をブロック図で示している。なお、ここでは、センタ装置１０４は省略されている。
【０００７】
カードリーダ１０１は、ＣＰＵなどで構成された制御部１１０と、電気錠１０２の施解錠状態を監視する状態監視部１１１と、読み取ったカードＣが許可した者が所有するカードＣであるかを照合するデータ照合部１１２と、所定のカードＣからＩＤ情報を読み取るカードリーダ部１１３とを備えている。
【０００８】
制御部１１０は、カード照合部１１２による照合の結果、カードリーダ部１１３で読み取ったカードＣが正常であったときに、接点Ａを閉じて、電気錠ソレノイド（ＳＯＬ）に電圧を印加し、電気錠１０２を解錠する。逆に、接点Ａを開けば、電気錠ソレノイド（ＳＯＬ）への電圧印加はなくなり、電気錠１０２を施錠する。
【０００９】
一方、電気錠１０２では、施解錠に伴って接点Ｂを開閉しているので、カードリーダ１０１の状態監視部１１１がこれを検知して、センタ装置１０４に通知するようになっている。
【００１０】
ここに示した電気錠制御システムは、建物内の各事務所などに対して適用されるものであり、入室時と退室時の双方でカードリーダ１０１を操作する必要がある。入室後は、室内から電気錠１０２の施錠操作をしない限り、電気錠１０２は解錠を維持するようになっている。
【００１１】
図２８には、カードリーダ１０１の外観構成を示している。このカードリーダ１０１では、カードＣをカードリーダ部１１３に挿入しスライドさせる構成になっている。図中、Ｌ１０１はカード挿入灯であり、カードＣの挿入待機時に点灯する。Ｌ１０２はカードＮＧ灯であり、登録されていないカードＣを読み取ったときに点灯する。Ｌ１０３は解錠灯であり、電気錠１０２が解錠していると点灯する。
【００１２】
次に、従来の電気錠制御システムの別の構成を図２９に示す。
【００１３】
このシステムのカードリーダ１０１Ａは、カードＣの読取走査では、電気錠１０２Ａの解錠のみを行っており、電気錠１０２Ａの施錠は、扉Ｄを閉めれば、これを検知して行うようになっている。このため、電気錠１０２Ａには扉Ｄの開閉状態信号を出力する接点Ｃを設けている。
【００１４】
カードリーダ１０１Ａの状態監視部１１１は、扉Ｄが閉まり、接点Ｃが閉じられたことを検知すると、制御部１１０にこれを通知し、制御部１１０は接点Ａを開いて、電気錠１０２Ａを解錠させる。
【００１５】
ここに示した電気錠制御システムは、建物の通用口などに対して適用されるものであり、建物内に入るとき、建物内から出るときの何れにおいても、扉Ｄを閉じれば、自動的に電気錠１０２Ａが施錠されるので、施錠操作をする必要がなく、確実に不法な侵入を防ぐことが出来る。
【発明が解決しようとする課題】
【００１６】
ところが、上記従来の電気錠制御システムでは、防犯、照明、空調などの他の設備と連動させるためには、以下のような問題があった。
【００１７】
防犯設備を例にとると、図２７にブロック図で示した、事務所などの扉に設けられた電気錠を制御するシステムでは、電気錠を解錠したときに防犯警戒を解除し、電気錠を施錠したときに防犯警戒を行うようにすればよいが、室内に人が居残っている場合に電気錠を施錠すると、防犯警戒がセットされ、誤って警報を出力する。
【００１８】
一方、図２９にブロック図で示した、通用口などの扉に設けられた電気錠を制御するシステムでは、扉を閉じれば自動的に電気錠が施錠されるので、通用口から侵入した直後に防犯警戒がセットされ、誤って警報を出力する。
【００１９】
本発明は、このような事情に鑑みてなされたものであり、防犯、照明、空調などの設備が、運用上の問題がなく、カードリーダの操作に連動するようにした電気錠制御システムを提供することを目的としている。
【課題を解決するための手段】
【００２０】
上記目的を達成するために、本発明の請求項１〜請求項４には、建物の事務所などに適用される電気錠制御システムであり、所定のカードを読取走査させて、扉に設けられた電気錠を施解錠させるカードリーダに対し、このカードリーダの操作に連動する所定の設備を接続した構成であって、その設備が防犯センサと防犯受信機とを有した防犯監視システムである場合を提案している。
【００２１】
また、カードリーダは、防犯受信機の監視を開始させるために操作するセット手段と、防犯受信機の監視を解除させるために操作するリセット手段と、防犯センサによる人体検知を判別する判別手段とを備える。
【００２２】
請求項１では、所定のカードを読取走査させて、扉に設けられた電気錠を施解錠させるカードリーダに対し、このカードリーダの操作に連動する所定の設備を接続した構成の電気錠制御システムであって、上記設備は、防犯センサと防犯受信機とを有した防犯監視システムであり、上記カードリーダは、上記防犯受信機の監視を開始させるために操作するセット手段と、上記防犯受信機の監視を解除させるために操作するリセット手段と、上記防犯センサによる人体検知を判別する判別手段とを備え、上記セット手段の操作により、上記防犯受信機が監視状態であるときに、上記リセット手段が操作され、上記所定のカードが読取走査されたときには、上記電気錠を解錠させるとともに、上記防犯受信機の監視を解除させる構成としており、上記カードリーダは、扉の開閉を検知する手段と、ブザー手段とを更に備えており、上記リセット手段の操作により、上記防犯受信機が監視を解除しており、上記防犯センサが人体を検知しておらず、上記扉の開状態を検知している状態で、上記セット手段が操作され、上記所定のカードが読取走査されたときには、上記電気錠の解錠及び上記防犯受信機の監視解除を維持させ、上記ブザー手段を鳴動させることを特徴とする。
【００２３】
すなわち、ここでは、防犯監視状態（防犯状態）において最初に入室する場合と、防犯監視を解除している状態から監視状態に戻すように、最後に退室する場合を提案しており、室内に人がいない状態であっても、扉を開いたまま、最終退室として防犯監視を開始する操作をしても、その操作を無効とする。
【００２４】
請求項２では、請求項１において、カードリーダは、上記リセット手段の操作により、上記防犯受信機が監視を解除している状態で、上記所定のカードの読取走査のみがされたときには、上記電気錠を施錠あるいは解錠させ、上記防犯受信機の監視解除を維持させることを特徴とする。ここには、一旦、入室した後、防犯監視の解除状態において、その防犯解除状態は維持したまま、入室あるいは退室する場合を提案している。このように、最終退室する前の途中入退室は、セット手段、リセット手段の操作は行わず、カードの読取走査のみを行う。
【００２５】
請求項３では、請求項１において、上記カードリーダは、上記リセット手段の操作により、上記防犯受信機が監視を解除しており、上記防犯センサが人体を検知している状態で、上記セット手段が操作され、上記所定のカードが読取走査されたときには、上記電気錠の解錠及び上記防犯受信機の監視解除を維持させることを特徴とする。すなわち、室内に人がいる状態で、最終退室として防犯監視を開始する操作をしても、その操作を無効とする。
【００２６】
請求項４では、上記リセット手段の操作により、上記防犯受信機が監視を解除しており、上記扉の開状態を検知している状態で、上記所定のカードの読取走査のみがされたときには、上記電気錠の解錠及び上記防犯受信機の監視解除を維持させることを特徴とする。すなわち、途中退室をするときに、扉を開いたままカード操作をしても、その操作を無効とする。
【００２７】
本発明の請求項５〜請求項９には、建物の通用口などに適用される電気錠制御システムであり、所定のカードを読取走査させて、扉に設けられた電気錠を解錠させるカードリーダに対し、このカードリーダの操作に連動する所定の設備を接続した構成であって、その設備は防犯センサと防犯受信機とを有した防犯監視システムである場合を提案している。
【００２８】
カードリーダは、防犯受信機の監視を開始させるために操作するセット手段と、防犯受信機の監視を解除させるために操作するリセット手段と、防犯センサによる人体検知を判別する判別手段と、扉の開閉を検知する手段とを備えている。
【００２９】
請求項５では、所定のカードを読取走査させて、扉に設けられた電気錠を解錠させるカードリーダに対し、このカードリーダの操作に連動する所定の設備を接続した構成の電気錠制御システムであって、上記設備は、防犯センサと防犯受信機とを有した防犯監視システムであり、上記カードリーダは、上記防犯受信機の監視を開始させるために操作するセット手段と、上記防犯受信機の監視を解除させるために操作するリセット手段と、上記防犯センサによる人体検知を判別する判別手段と、上記扉の開閉を検知する手段と、ブザー手段とを備え、上記セット手段の操作により、上記防犯受信機が監視状態であるときに、上記リセット手段が操作され、上記所定のカードが読取走査されたときには、上記電気錠を解錠させるとともに、上記防犯受信機の監視を解除させ、上記扉の閉状態を検知すれば、上記電気錠を施錠させる一方、上記リセット手段の操作により、上記防犯受信機が監視を解除しており、上記防犯センサが人体を検知しておらず、上記扉の開状態を検知している状態で、上記セット手段が操作され、上記所定のカードが読取走査されたときには、上記電気錠の解錠及び上記防犯受信機の監視解除を維持させ、上記ブザー手段を鳴動させることを特徴とする。
すなわち、ここには、防犯監視状態（防犯警戒）において最初に入室する場合と、防犯監視状態に戻すように、最後に退室する場合を提案しており、室内に人がいない状態であっても、扉を開いたまま、最終退室として防犯監視を開始する操作をしても、その操作を無効とする。なお、以降、本明細書では、通用口などの扉から出入りする場合でも、「入室」あるいは「退室」という用語を用いることとする。
【００３０】
請求項６では、上記カードリーダは、上記リセット手段の操作により、上記防犯受信機が監視を解除している状態で、上記所定のカードの読取走査のみがされたときには、上記電気錠を解錠させ、上記防犯受信機の監視解除を維持させることを特徴とする。ここには、一旦、入室した後、防犯解除状態は維持したまま、途中に入室する場合を提案している。なお、途中に退室する場合は、カードリーダに対して何等の操作を行わなくても、扉を閉じれば、自動的に電気錠は施錠される。
【００３１】
請求項７では、上記カードリーダは、上記リセット手段の操作により、上記防犯受信機が監視を解除しており、上記防犯センサが人体を検知している状態で、上記セット手段が操作され、上記所定のカードが読取走査されたときには、上記電気錠の解錠及び上記防犯受信機の監視解除を維持させることを特徴とする。すなわち、室内に人が居る状態で、最終退室として防犯監視を開始する操作をしても、その操作を無効とする。このとき、退室するために、扉を開き、その後、扉を閉じれば、電気錠は施錠させることになるが、カードリーダの操作が無効になったときには、電気錠は解錠させる。
【００３２】
請求項８では、セット手段の操作により、上記防犯受信機が監視状態であるときに、上記リセット手段が操作され、上記所定のカードが読取走査された後、上記扉の開状態が所定時間継続したときには、上記ブザー手段を鳴動させることを特徴とする。すなわち、最初に入室する操作をしたときに、防犯監視を解除するが、その後、扉が開いたままであるときには、扉を閉めるように警告する。
【００３３】
請求項９では、上記リセット手段の操作により、上記防犯受信機が監視を解除している状態で、上記所定のカードの読取走査のみがされた後、上記扉の開状態が所定時間継続したときには、上記ブザー手段を鳴動させることを特徴とする。すなわち、途中入室する操作をした後、扉が開いたままであるときには、扉を閉めるように警告する。
請求項１０では、上記カードリーダは、上記設備として、上記防犯監視システムとともに、あるいは、上記防犯監視システムに代えて、照明システムや空調システムなどの人が居るときに作動する、人体検知センサを有したシステムを接続しており、上記セット手段は上記システムの動作を停止させるために操作し、上記リセット手段は上記システムの動作を開始させるために操作し、上記判別手段は上記人体検知センサによる人体検知を判別するようになっており、上記防犯受信機の監視とともに、あるいは、上記防犯受信機の監視に代えて、上記システムは動作を停止し、上記防犯受信機の監視解除とともに、あるいは、上記防犯受信機の監視解除に代えて、上記システムは動作し、上記防犯センサとともに、あるいは、上記防犯センサに代えて、上記人体検知センサが人体を検知することを特徴とする。なお、人が居るときに作動するシステムには、この他、エレベータ制御システムなどがある。
【００３４】
このように構成された電気錠制御システムでは、セット手段は照明システムなどの動作を停止させるために操作し、リセット手段は照明システムなどの動作を開始させるために操作し、判別手段は人体検知センサによる人体検知を判別するようになっている。
【００３５】
また、防犯受信機の監視とともに、あるいは、防犯受信機の監視に代えて、照明システムなどは動作を停止し、防犯受信機の監視解除とともに、あるいは、防犯受信機の監視解除に代えて、照明システムなどは動作し、防犯センサとともに、あるいは、防犯センサに代えて、人体検知センサが人体を検知する。
【発明の実施の形態】
【００３６】
以下に、本発明の実施の形態について、図面とともに説明する。
【００３７】
図１は、設備連動機能付き電気錠制御システムの構成の一例を示したブロック図、図２は、そのシステム構成の概略を示す図である。
【００３８】
図２に示すように、ビルなどの建物の通用口や、その建物内の各事務所などの出入口には、各々の扉Ｄの近くに、扉Ｄの電気錠２を施解錠するために操作するカードリーダ１を設置しており、予めＩＤ情報などが登録されている所定のカードＣを読取走査させた者のみが、扉Ｄの電気錠２を開閉し、入退室できるようになっている。
【００３９】
また、カードリーダ１は、管理室や警備センタなどに設けられ、コンピュータなどで構成されたセンタ装置５に、ＲＳ４８５などの伝送ラインを介して接続されており、センタ装置５では、建物内に設置されたすべてのカードリーダ１の各々から、電気錠２の施解錠状態信号を受信して、各扉Ｄの施解錠状態を管理するとともに、カードＣの操作履歴などを監視する。また、センタ装置５は、各カードリーダ１に対し、電気錠２の施解錠を許可するカードＣのＩＤ情報を登録、抹消できるようになっている。
【００４０】
なお、図中、４は電源装置であり、この電源装置４からカードリーダ１及び電気錠２に電源が供給されている。
【００４１】
本発明では、カードリーダ１に、カードリーダ１の操作に連動する所定の設備を接続した構成になっており、図２では、この設備として、防犯センサＳと防犯受信機３とを有した防犯監視システムを接続した場合を示している。
【００４２】
防犯センサＳは、監視エリア内に複数設置され、通常、各々の常閉接点を介して、閉ループを形成している。この状態で、いずれかの防犯センサＳが人体を検知したときには、その接点を開き、これを防犯受信機３が検知して、警報を出力するようになっている。
【００４３】
防犯受信機３は、カードリーダ１から警戒セット信号が入力されているときは、監視（警戒）状態になって、防犯センサＳによって人体を検知すると、警報を出力するが、カードリーダ１から警戒セット信号の入力が停止すると、監視を解除して、防犯センサＳが人体を検知しても、警報は出力しない。
【００４４】
図１に示すように、カードリーダ１は、ＣＰＵなどで構成された制御部１０と、電気錠２の施解錠状態、扉Ｄの開閉状態、防犯センサＳの検知状態を監視する状態監視部１１と、読み取ったカードＣが予め許可した者が所有するカードＣであるかを照合するデータ照合部１２と、所定のカードＣからＩＤ情報を読み取るカードリーダ部１３とを備えている。
【００４５】
制御部１０は、接点Ａを閉じれば（ＯＮ）、電気錠ソレノイド（ＳＯＬ）に電圧を印加して、電気錠２を解錠し、逆に、接点Ａを開けば（ＯＦＦ）、電気錠ソレノイド（ＳＯＬ）への電圧印加はなくなり、電気錠２を施錠する。また、制御部１０は、接点Ｂを閉じれば（ＯＮ）、防犯受信機３に警戒セット信号を出力し、接点Ｂを開けば（ＯＦＦ）、警戒セット信号の出力は停止する。
【００４６】
状態監視部１１は、電気錠２において接点Ｃが閉じられると（ＯＮ）、施錠状態を検知し、接点Ｃが開くと（ＯＦＦ）、解錠状態を検知する。また、接点Ｄが閉じると（ＯＮ）、扉Ｄの閉状態を検知し、接点Ｄが開くと（ＯＦＦ）、扉Ｄの開状態を検知する。また、状態監視部１１は、判別手段を構成して、防犯受信機３と同様に、防犯センサＳの人体検知を判別できるようになっており、接点Ｅが閉じ（ＯＮ）、ループが正常であるときは人体を検知しておらず、接点Ｅが開き（ＯＦＦ）、ループが異常になると人体を検知していることが判る。
【００４７】
また、このカードリーダ１は、セット手段として、警戒セット信号を出力し、防犯受信機３の監視を開始させるために操作するセット釦１４を備える一方、リセット手段として、警報セット信号の出力を停止し、防犯受信機３の監視を解除させるために操作するリセット釦１５を備える。また、ブザー手段である警報ブザー１６と、防犯センサＳが人体を検知しておらず、ループが正常（接点ＥがＯＮ）であるときに点灯するループ灯Ｌ３とを備えている。
【００４８】
セット釦１４、リセット釦１５の各々には、接点Ｆ、接点Ｇを備えて、釦１４，１５が操作されたことが制御部１０で検知できるようになっており、また、操作されたときには、各々のランプＬ１，Ｌ２が点灯あるいは点滅するようになっている。したがって、ランプＬ１，Ｌ２の各々は、点灯していれば、防犯受信機３による監視状態あるいは監視解除状態であることを示すことになる。
【００４９】
図３には、カードリーダ１の外観構成を示している。このカードリーダ１では、カードＣを読取走査するときには、カードリーダ部１３にカードＣを挿入しスライドさせるようになっている。なお、カードリーダ１には、操作釦として、セット釦１４とリセット釦１５とを備え、また、表示ランプとして、ループ灯Ｌ３以外に、カードＣの挿入待機状態に点灯するカード挿入灯Ｌ４、登録されていないカードＣを読み取ったときに点灯するカードＮＧ灯Ｌ５、電気錠２が解錠しているときに点灯する解錠灯Ｌ６を備えている。
【００５０】
なお、表示ランプＬ３〜Ｌ６の各々には、その近くに、対応したメッセージを記している。例えば、各々、「ループ状態」、「カードを挿入してください」、「カードを再挿入してください」、「解錠しています」といった文字が記されている。
【００５１】
まず、図１〜図３に示した電気錠制御システムのカードリーダ１が、建物内の事務所などの扉Ｄに設置される場合について、図４〜図１５とともに説明する。
【００５２】
各事務所の扉Ｄの電気錠２は、入室時と退室時の双方でカードリーダ１を操作しなければ、解錠、施錠ができないタイプである。したがって、入室後は、室内から電気錠２の施錠操作をしない限り、電気錠２は解錠を維持するようになっている。
【００５３】
まず、図４のタイムチャート、図５のカードリーダ１の表示の変化を示す図とともに、防犯監視状態（防犯警戒）において最初に入室する場合を説明する。
【００５４】
カードリーダ１は、セット釦１４の操作により、防犯受信機３が監視状態（防犯警戒状態）であるときに、リセット釦１５が操作され、所定のカードＣが読取走査されたときには、電気錠２を解錠させるとともに、防犯受信機３の監視を解除させる。
【００５５】
図４に示すように、カードリーダ１を操作する前は、通常、防犯センサＳのループ状態は正常（接点ＥがＯＮ）であり、扉Ｄを開けて人が入った後から人体検知を開始するが、これには限定されず、扉Ｄを開ける前であって、防犯警戒状態であるときに、侵入者を検知し、警報を出力しているときも、同様に動作するようにしてもよい。
【００５６】
図５（ａ）はセット釦１４が操作された警戒状態（セット釦１４のランプＬ１が点灯）であり、カード挿入待機状態（カード挿入灯Ｌ４が点灯）、施錠状態（解錠灯Ｌ６が消灯）、ループ正常（ループ灯Ｌ３が点灯）がであることを示している。この状態において、リセット釦１５を操作すると、同図（ｂ）に示すように、リセット釦１５のランプＬ２が所定時間の間（例えば３秒間）点滅する。この点滅中にカード操作（読取走査）をして、そのカードＣが、予め登録されている正常なカードＣであれば、同図（ｃ）に示すように、電気錠２は解錠され（解錠灯Ｌ６が点灯）、防犯警戒は解除される（リセット釦１５のランプＬ２が点灯）。そして、扉Ｄを開けて入室すれば、同図（ｄ）に示すように、電気錠２は解錠状態を維持したまま、カード挿入待機状態に戻る。
【００５７】
次に、図６のタイムチャート、図７のカードリーダ１の表示の変化を示す図とともに、防犯監視解除状態において最後に退室する場合を説明する。
【００５８】
カードリーダ１は、リセット釦１５の操作により、防犯受信機３が監視を解除しており、防犯センサＳが人体を検知していない（ループ正常）状態で、セット釦１４が操作され、所定のカードＣが読取走査されたときには、電気錠２を施錠させるとともに、防犯受信機３の監視を開始させる。
【００５９】
図７（ａ）はリセット釦１５が操作された警戒解除状態であり、カード挿入待機状態、解錠状態、ループ正常であることを示している。この状態において、セット釦１４を操作すると、同図（ｂ）に示すように、セット釦１４のランプＬ１が所定時間の間（例えば３秒間）点滅する。この点滅中にカード操作をして、そのカードＣが正常なカードＣであれば、同図（ｃ）に示すように、電気錠２は施錠され（解錠灯Ｌ６が消灯）、防犯警戒がセットされる（セット釦１４が点灯）。そして、同図（ｄ）に示すようにカード挿入待機状態になる。
【００６０】
次に、図８〜図１０とともに、最終退室時にエラーとなる場合を説明する。
【００６１】
図８に示すように、カードリーダ１は、リセット釦１５の操作により、防犯受信機３が監視を解除しており、防犯センサＳが人体を検知している状態（ループ異常）で、セット釦１４が操作され、所定のカードＣが読取走査されたときには、電気錠２の解錠及び防犯受信機３の監視解除を維持させる。すなわち、室内に人が居る状態で、最終退室として防犯監視を開始する操作をしても、その操作を無効とする。
【００６２】
このとき、カードリーダ１は、制御部１０によって警報ブザー１６を、時間ｔだけ鳴動させる。これによって、操作者は、室内にまだ人が居るといったことが分かる。なお、カードリーダ１は、警報ブザー１６の代わりに、音声メッセージを出力するようにしてもよい（以下に警報ブザー１６を鳴動させる場合も同様）。
【００６３】
図９に示す場合では、カードリーダ１は、リセット釦１５の操作により、防犯受信機３が監視を解除しており、防犯センサＳが人体を検知しておらず（ループ正常）、扉Ｄの開状態を検知している状態で、セット釦１４が操作され、所定のカードＣが読取走査されたときには、電気錠２の解錠及び防犯受信機３の監視解除を維持させる。すなわち、室内に人がいない状態であっても、扉Ｄを開いたまま、最終退室として防犯監視を開始する操作をしても、その操作を無効とする。
【００６４】
このときも、カードリーダ１は警報ブザー１６を時間ｔだけ鳴動させる。これによって、操作者は、扉Ｄが開いた状態のままであることが分かる。このときに鳴動するブザーは、図８の場合と区別するため、断続音にしたり、音色などを変化させるようにしてもよい（以下に警報ブザー１６を鳴動させる場合も同様）。
【００６５】
図１０には、エラー時のカードリーダ１の表示の変化を、図８の場合を例にとって示している。図１０（ａ）は、ループ異常時（ループ灯Ｌ３が消灯）に最終退室の操作をしたので、エラーが発生し、警報ブザー１６が鳴動したときの状態を示している。この状態において、居残っている人に退室してもらう等でループを正常に復旧させた後、セット釦１４を操作すると、同図（ｂ）に示すように、セット釦１４が点滅する。この点滅中にカード操作をすれば、同図（ｃ）に示すように、電気錠２は施錠され（解錠灯Ｌ６が消灯）、防犯警戒がセットされる（セット釦１４が点灯）。そして、同図（ｄ）に示すようにカード挿入待機状態になる。
【００６６】
次に、図１１のタイムチャート、図１２のカードリーダ１の表示の変化を示す図とともに、最初に入室した後、防犯監視の解除状態において、その防犯解除状態は維持したまま、最終退室する前に途中入室する場合を説明する。
【００６７】
電気錠２は、入室した後に室内から施錠操作をしなければ、施錠されることがないが、その操作がされた場合や、後述する途中退室した場合には、電気錠２を解錠するために、以下のようなカードリーダ１の操作が必要になる。
【００６８】
カードリーダ１は、リセット釦１５の操作により、防犯受信機３が監視を解除している状態（リセット釦１５が点灯）で、セット釦１４の操作はされずに、所定のカードＣの読取走査のみがされたときには、電気錠２を解錠させ、防犯受信機３の監視解除も維持させたままとする。
【００６９】
図１１では、カードリーダ１を操作する前は、防犯センサＳは動作しており、ループ異常（接点ＥがＯＦＦ）である場合を示しているが、これには限定されず、室内は無人であり、この操作者が電気錠２の施錠だけをして退室しており、カード操作前はループ正常（接点ＥがＯＮ）である場合も同様に動作する。
【００７０】
図１２（ａ）は警戒解除状態であり、カード挿入待機状態、施錠状態、中に人が居るのでループ異常であることを示している。この状態において、カード操作をして、そのカードＣが正常なカードＣであれば、同図（ｂ）に示すように、電気錠２は解錠され（解錠灯Ｌ６が点灯）、同図（ｃ）に示すように、カード挿入待機状態になる。
【００７１】
次に、図１３のタイムチャート、図１４のカードリーダ１の表示の変化を示す図とともに、最初に入室した後、防犯監視の解除状態において、その防犯解除状態は維持したまま、最終退室する前に途中退室する場合を説明する。
【００７２】
カードリーダ１は、リセット釦１５の操作により、防犯受信機３が監視を解除している状態（リセット釦１５が点灯）で、セット釦１４の操作はされずに、所定のカードＣの読取走査のみがされたときには、電気錠２を施錠するが、防犯受信機３の監視解除は維持させたままとする。
【００７３】
図１３では、カードリーダ１を操作した後も、防犯センサＳは動作しており、ループ異常（接点ＥがＯＦＦ）である場合を示しているが、これには限定されず、退室すれば無人になり、ループ正常（接点ＥがＯＮ）になる場合も同様に動作する。
【００７４】
図１４（ａ）は警戒解除状態であり、カード挿入待機状態、解錠状態、中に人が居るのでループ異常であることを示している。この状態において、カード操作をして、そのカードＣが正常なカードＣであれば、同図（ｂ）に示すように、電気錠２は施錠され（解錠灯Ｌ６が消灯）、同図（ｃ）に示すように、カード挿入待機状態になる。
【００７５】
次に、図１５とともに、途中退室時にエラーとなる場合を説明する。
【００７６】
カードリーダ１は、リセット釦１５の操作により、防犯受信機３が監視を解除しており、扉Ｄの開状態を検知している状態で、所定のカードＣの読取走査のみがされたときには、電気錠２の解錠及び防犯受信機３の監視解除を維持させる。すなわち、途中退室をするときに、扉Ｄを開いたままカード操作をしても、その操作を無効とする。このとき、カードリーダ１は警報ブザー１６を時間ｔだけ鳴動させる。これによって、操作者は、扉Ｄが開いた状態のままであることが分かる。
【００７７】
なお、ここには、退室すれば無人になる場合であり、扉Ｄを開いたままにしておくと、ループ正常（接点ＥがＯＮ）になる場合を示したが、これには限定されず、人が居残り、ループ異常（接点ＥがＯＦＦ）を継続する場合であっても、同じように動作する。
【００７８】
次に、図１〜図３に示した電気錠制御システムが、建物の通用口などに対して適用される場合について、図１６〜図２５とともに説明する。
【００７９】
通用口の扉Ｄの電気錠２は、入室時にのみカードリーダ１を操作し、解錠するタイプである。電気錠２の施錠は、扉Ｄを閉めれば自動的に行うようになっている。
【００８０】
カードリーダ１の状態監視部１１は、扉Ｄが閉まり、接点Ｄが閉じられたことを検知すると、制御部１０にこれを通知し、制御部１０は接点Ａを開いて、電気錠２を解錠させる（図１参照）。
【００８１】
これによって、建物内に入るとき、建物内から出るときの何れにおいても、扉Ｄを閉じれば、自動的に電気錠２が施錠されるので、施錠操作をする必要がなく、確実に不法な侵入を防ぐことが出来る。
【００８２】
まず、図１６のタイムチャート、図１７のカードリーダ１の表示の変化を示す図とともに、防犯監視状態において最初に入室する場合を説明する。
【００８３】
カードリーダ１は、セット釦１４の操作により、防犯受信機３が監視状態であるときに、リセット釦１５が操作され、所定のカードＣが読取走査されたときには、電気錠２を解錠させるとともに、防犯受信機３の監視を解除させる。そして、扉Ｄを開いて室内に入ったことを検知した後、扉Ｄの閉状態を検知すれば、電気錠２を施錠させる
図１６に示すように、カードリーダ１を操作する前は、通常、防犯センサＳのループ状態は正常（接点ＥがＯＮ）であり、扉Ｄを開けて人が入った後に人体検知を開始するが、扉Ｄを開ける前の防犯警戒状態であるときに、侵入者を検知し、警報を出力しているときも、同様に動作するようにしてもよい。
【００８４】
図１７（ａ）は、セット釦１４が操作された警戒状態（セット釦１４が点灯）であり、カード挿入待機状態、施錠状態、ループ正常であることを示している。この状態において、リセット釦１５を操作すると、同図（ｂ）に示すように、リセット釦１５のランプＬ２が所定時間の間（例えば３秒間）点滅する。この点滅中にカード操作をして、そのカードＣが正常なカードＣであれば、同図（ｃ）に示すように、電気錠２は解錠され（解錠灯Ｌ６が点灯）、防犯警戒は解除される（リセット釦１５が点灯）。そして、扉Ｄを開けて入室し、扉Ｄを閉じれば、同図（ｄ）に示すように、電気錠２は施錠され（解錠灯Ｌ６が消灯）、カード挿入待機状態になる。
【００８５】
次に、図１８のタイムチャートとともに、最初入室時にエラーとなる場合を説明する。
【００８６】
カードリーダ１は、セット釦１４の操作により、防犯受信機３が監視状態であるときに、リセット釦１５が操作され、所定のカードＣが読取走査された後、扉Ｄの開状態が所定時間Ｔの間（例えば５秒間）継続したときには、警報ブザー１６を時間ｔだけ鳴動させる。このとき、警報ブザー１６は、扉Ｄが閉じられるまで、鳴動し続けてもよい。
【００８７】
最初に入室する操作をしたときに、防犯監視の解除は行うが、その後、扉Ｄが開いたままであるときには、扉Ｄを閉めるように警告する。これに対して、操作者は、扉Ｄを閉めれば、自動的に電気錠２が施錠される。
【００８８】
次に、図１９のタイムチャート、図２０のカードリーダ１の表示の変化を示す図とともに、防犯監視解除状態において最後に退室する場合を説明する。
【００８９】
カードリーダ１は、リセット釦１５の操作により、防犯受信機３が監視を解除しており、防犯センサＳが人体を検知していない状態で（ループ正常）、セット釦１４が操作され、所定のカードＣが読取走査されたときには、防犯受信機３の監視を開始させる。
【００９０】
図２０（ａ）はリセット釦１５が操作された警戒解除状態（リセット釦１５が点灯）であり、カード挿入待機状態、施錠状態、ループ正常であることを示している。この状態において、セット釦１４を操作すると、同図（ｂ）に示すように、セット釦１４のランプＬ１が所定時間の間（例えば３秒間）点滅する。この点滅中にカード操作をして、そのカードＣが正常なカードＣであれば、同図（ｃ）に示すように、解錠灯Ｌ６が所定時間（例えば２秒間）点灯し、防犯警戒がセットされる（セット釦１４が点灯）。そして、同図（ｄ）に示すようにカード挿入待機状態になる。
【００９１】
なお、同図（ｃ）において、解錠灯Ｌ６が点灯するのは、単に、カード操作が有効であり、防犯警戒がセットされたことを示すものであって、電気錠２が解錠されることはなく、このときに解錠灯Ｌ６を点灯しないようにしてもよい。
【００９２】
次に、図２１とともに、最終退室時にエラーとなる場合を説明する。
【００９３】
図２１に示すように、カードリーダ１は、リセット釦１５の操作により、防犯受信機３が監視を解除しており、防犯センサＳが人体を検知している状態（ループ異常）で、セット釦１４が操作され、所定のカードＣが読取走査されたときには、電気錠２の解錠及び防犯受信機３の監視解除を維持させる。すなわち、室内に人が居る状態で、最終退室として防犯監視を開始する操作をしても、その操作を無効とする。
【００９４】
このとき、退室するために、扉を開き、その後に閉じれば、電気錠２は施錠されることになるが、カードリーダ１の操作が無効になったときには、電気錠２は解錠される。また、操作が無効になったことを、警報ブザー１６を時間ｔだけ鳴動させて知らせている。これによって、操作者は、室内にまだ人が居るといったことが分かる。
【００９５】
図２２に示す場合では、カードリーダ１は、リセット釦１５の操作により、防犯受信機３が監視を解除しており、防犯センサＳが人体を検知しておらず（ループ正常）、扉Ｄの開状態を検知している状態で、セット釦１４が操作され、所定のカードＣが読取走査されたときには、電気錠２の解錠及び防犯受信機３の監視解除を維持させる。すなわち、室内に人がいない状態であっても、扉Ｄを開いたまま、最終退室として防犯監視を開始する操作をしても、その操作を無効とする。このときも、カードリーダ１は警報ブザー１６を時間ｔだけ鳴動させる。これによって、操作者は、扉Ｄが開いた状態のままであることが分かる。
【００９６】
次に、図２３のタイムチャート、図２４のカードリーダ１の表示の変化を示す図とともに、最初に入室した後、防犯監視の解除状態において、その防犯解除状態は維持したまま、最終退室する前に途中入室する場合を説明する。
カードリーダ１は、リセット釦１５の操作により、防犯受信機３が監視を解除している状態（リセット釦１５が点灯）で、セット釦１４の操作はされずに、所定のカードＣの読取走査のみがされたときには、電気錠２を解錠させ、防犯受信機３の監視解除も維持させたままとする。
【００９７】
図２３では、カードリーダ１を操作する前は、防犯センサＳは動作しており、ループ異常（接点ＥがＯＦＦ）である場合を示しているが、これには限定されず、このときの操作者が施錠だけをして退室していた場合であり、カード操作前はループ正常（接点ＥがＯＮ）であったときも同様に動作する。
【００９８】
図２４（ａ）は警戒解除状態（リセット釦１５が点灯）であり、カード挿入待機状態、施錠状態、中に人が居るのでループ異常であることを示している。この状態において、カード操作をして、そのカードＣが正常なカードＣであれば、同図（ｂ）に示すように、電気錠２は解錠され（解錠灯Ｌ６が点灯）、その後、室内に入って扉Ｄを閉じれば、同図（ｃ）に示すように、施錠状態になり（解錠灯Ｌ６が消灯）、カード挿入待機状態になる。
【００９９】
なお、途中退室する場合は、カードリーダ１に対して何等の操作を行わなくても、扉Ｄを閉じれば、自動的に電気錠２は施錠される。
【０１００】
次に、図２５のタイムチャートとともに、途中入室時にエラーとなる場合を説明する。
【０１０１】
カードリーダ１は、リセット釦１５の操作により、防犯受信機３が監視を解除している状態で、所定のカードＣの読取走査のみがされた後、扉Ｄの開状態が所定時間Ｔの間（例えば５秒）継続したときには、警報ブザー１６を時間ｔだけ鳴動させる。すなわち、途中入室する操作をした後、扉Ｄが開いたままであるときには、扉Ｄを閉めるように警告する。これに対して、操作者は、扉Ｄを閉めれば、自動的に電気錠２は施錠される。
【０１０２】
以上には、カードリーダ１の操作に連動する設備が、防犯監視システム（防犯受信機３、防犯センサＳ）である場合を説明したが、カードリーダ１は、設備として、防犯監視システムとともに、あるいは、防犯監視システムに代えて、照明システムや空調システム、エレベータ制御システムなどの人が居るときに作動するシステムを接続することもできる。
【０１０３】
このようなシステムは、人体検知センサを有しており、この人体検知センサは、赤外線センサや超音波センサ等で構成されるが、防犯監視システムの防犯センサＳと共用するようにしてもよい。
人が居るときに作動するシステムは、人がいないときに作動して防犯警戒状態になる防犯監視システムとは逆の制御が必要となるため、カードリーダ１のセット釦１４は照明システムなどの動作を停止させるために操作し、リセット釦１５は照明システムなどの動作を開始させるために操作することになる。
【０１０４】
また、照明システムの場合、図１の構成では、防犯受信機３は照明制御装置になり、この照明システムは、防犯受信機３の監視とともに、あるいは、防犯受信機３の監視に代えて、動作を停止する一方、防犯受信機３の監視解除とともに、あるいは、防犯受信機３の監視解除に代えて、動作することになる。また、接点Ｅは人体検知センサが人体を検知すれば閉状態になる。
【０１０５】
このように、本発明では、電気錠２の解錠と施錠の双方において操作が必要なカードリーダ１、解錠のみに操作が必要なカードリーダ１のいずれにも、防犯監視システム以外の設備を接続し、この設備を、最初の入室、最後の退室、途中の入退室の各々に対応して適切に連動させることが出来る。
【発明の効果】
【０１０６】
以上の説明からも理解できるように、本発明の請求項１〜請求項１０に記載の設備連動機能付き電気錠制御システムでは、最初入室、最終退室以外に、途中入退室をすることがあっても、釦操作とカード操作の双方を行うか、カード操作のみを行うかによって、カードリーダに接続された設備を、運用上の問題がなく、適切に連動させることができる。
【０１０７】
請求項１〜請求項４では、電気錠の施錠と解錠の両方において、カードリーダの操作が必要なタイプであっても、カードリーダの操作に対応して、防犯監視システムを適切に連動させることが出来る。
【０１０８】
請求項１では、防犯監視状態において最初に入室する場合と、防犯監視解除状態から警戒状態に戻すように最後に退室する場合のいずれにおいても、カードリーダにおいて、釦操作と所定のカードの読取走査をすれば、電気錠の施解錠と、防犯受信機による監視の切換制御ができる。
【０１０９】
また、室内に人がいない状態であっても、扉を開いたまま、最終退室として防犯監視を開始する操作をしても、その操作は無効となるので、扉の電気錠が施錠されないままになることを防ぐことが出来る。
【０１１０】
更に、最終退室や途中退室でエラーが発生すると、ブザーが鳴動するので、その対応が必要であることがすぐに分かる。
【０１１１】
請求項２では、途中入退室する場合は、カードリーダにおいて、所定のカードの読取走査のみを行えば、防犯受信機の監視解除は維持したまま、電気錠を施解錠することができる。
【０１１２】
請求項３では、室内に人が居る状態で、最終退室として防犯監視を開始する操作をしても、その操作は無効となるので、防犯受信機の誤報を未然に防ぐことが出来る。
【０１１３】
請求項４では、途中退室をするときに、扉を開いたままカード操作をしても、その操作は無効となるので、扉の電気錠が施錠されないままになることを防ぐことが出来る。
【０１１４】
請求項５〜請求項９では、電気錠の解錠のみにカードリーダの操作が必要であり、扉を閉じれば自動的に電気錠が施錠されるタイプであっても、カードリーダの操作に対して、防犯監視システムを適切に連動させることが出来る。すなわち、入室した直後に、扉を閉じて自動的に電気錠が施錠されても、防犯警戒がセットされることがなく、誤って警報を出力することがない。
【０１１５】
請求項５では、防犯監視状態において最初に入室する場合と、防犯監視解除状態から警戒状態に戻すように最後に退室する場合のいずれにおいても、カードリーダにおいて、釦操作と所定のカードの読取走査をすれば、電気錠の施解錠と、防犯受信機による監視の切換制御ができる。
【０１１６】
また、室内に人がいない状態であっても、扉を開いたまま、最終退室として防犯監視を開始する操作をしても、その操作は無効となるので、扉の電気錠が施錠されないままになることを防ぐことが出来る。
【０１１７】
更に、最終退室時にエラーが発生すると、ブザーが鳴動するので、その対応が必要であることがすぐに分かる。
【０１１８】
請求項６では、途中入室する場合は、カードリーダにおいて、所定のカードの読取走査のみを行えば、防犯受信機の監視解除は維持したまま、電気錠を解錠することができる。
【０１１９】
請求項７では、室内に人が居る状態で、最終退室として防犯監視を開始する操作をしても、その操作は無効となるので、防犯受信機の誤報を未然に防ぐことが出来る。
【０１２０】
請求項８では、最初に入室する操作をしたときに、防犯監視は解除しても、その後、扉が開いたままであるときには、扉を閉めるようにブザーが鳴動するので、電気錠が解錠されたままになることがない。
【０１２１】
請求項９では、途中入室する操作をした後、扉が開いたままであるときには、扉を閉めるようにブザーが鳴動するので、電気錠が解錠されたままになることがない。
【０１２２】
請求項１０では、防犯監視システム以外の照明、空調などの設備をカードリーダに接続し、カードリーダの操作に対して、運用上の問題もなく、適切に連動させることが出来る。
【図面の簡単な説明】
【０１２３】
【図１】  本発明の設備連動機能付き電気錠制御システムの構成の一例を示すブロック図である。
【図２】  本発明の設備連動機能付き電気錠制御システムの一例を示すシステム構成図である。
【図３】  カードリーダの外観の一例を示す図である。
【図４】  事務所用カードリーダの動作例を示すタイムチャートである（最初入室）。
【図５】  図４の動作に対応したカードリーダの表示の変化を示す図である。
【図６】  事務所用カードリーダの動作例を示すタイムチャートである（最終退室）。
【図７】  図６の動作に対応したカードリーダの表示の変化を示す図である。
【図８】  事務所用カードリーダの動作例を示すタイムチャートである（最終退室エラー）。
【図９】  事務所用カードリーダの動作例を示すタイムチャートである（最終退室エラー）。
【図１０】  図８の動作に対応したカードリーダの表示の変化を示す図である。
【図１１】  事務所用カードリーダの動作例を示すタイムチャートである（途中入室）。
【図１２】  図１１の動作に対応したカードリーダの表示の変化を示す図である。
【図１３】  事務所用カードリーダの動作例を示すタイムチャートである（途中退室）。
【図１４】  図１３の動作に対応したカードリーダの表示の変化を示す図である。
【図１５】  事務所用カードリーダの動作例を示すタイムチャートである（途中退室エラー）。
【図１６】  通用口用カードリーダの動作例を示すタイムチャートである（最初入室）。
【図１７】  図１６の動作に対応したカードリーダの表示の変化を示す図である。
【図１８】  通用口用カードリーダの動作例を示すタイムチャートである（最初入室エラー）。
【図１９】  通用口用カードリーダの動作例を示すタイムチャートである（最終退室）。
【図２０】  図１９の動作に対応したカードリーダの表示の変化を示す図である。
【図２１】  通用口用カードリーダの動作例を示すタイムチャートである（最終退室エラー）。
【図２２】  通用口用カードリーダの動作例を示すタイムチャートである（最終退室エラー）。
【図２３】  通用口用カードリーダの動作例を示すタイムチャートである（途中入室）。
【図２４】  図２３の動作に対応したカードリーダの表示の変化を示す図である。
【図２５】  通用口用カードリーダの動作例を示すタイムチャートである（途中入室エラー）。
【図２６】  従来の電気錠制御システムを示すシステム構成図である。
【図２７】  従来の電気錠制御システムの構成を示すブロック図である（事務所用）。
【図２８】  従来のカードリーダの外観を示す図である。
【図２９】  従来の電気錠制御システムの構成を示すブロック図である（通用口用）。
【符号の説明】
【０１２４】
１    カードリーダ
１０  制御部
１１  状態監視部
１２  データ照合部
１３  カードリーダ部
１４  セット釦
１５  リセット釦
１６  警報ブザー
Ｌ３  ループ灯
Ｌ６  解錠灯
２    電気錠
３    防犯受信機
Ｓ    防犯センサ
Ｃ    カード
Ｄ    扉
【図１】
0004032520.tif 000002
【図２】
0004032520.tif 000003
【図３】
0004032520.tif 000004
【図４】
0004032520.tif 000005
【図５】
0004032520.tif 000006
【図６】
0004032520.tif 000007
【図７】
0004032520.tif 000008
【図８】
0004032520.tif 000009
【図９】
0004032520.tif 000010
【図１０】
0004032520.tif 000011
【図１１】
0004032520.tif 000012
【図１２】
0004032520.tif 000013
【図１３】
0004032520.tif 000014
【図１４】
0004032520.tif 000015
【図１５】
0004032520.tif 000016
【図１６】
0004032520.tif 000017
【図１７】
0004032520.tif 000018
【図１８】
0004032520.tif 000019
【図１９】
0004032520.tif 000020
【図２０】
0004032520.tif 000021
【図２１】
0004032520.tif 000022
【図２２】
0004032520.tif 000023
【図２３】
0004032520.tif 000024
【図２４】
0004032520.tif 000025
【図２５】
0004032520.tif 000026
【図２６】
0004032520.tif 000027
【図２７】
0004032520.tif 000028
【図２８】
0004032520.tif 000029
【図２９】
0004032520.tif 000030